【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
第１の電極と第２の電極との間に、少なくとも有機化合物からなる発光層を含む複数の発光ユニットが電荷発生層を挟んで積層された構造する有機エレクトロルミネッセント素子であって、
４４０ｎｍ〜４９０ｎｍの波長域に１つまたは２つのピーク波長を有する第１の発光層を含む第１の発光ユニットを２つ有し、
５００ｎｍ〜６４０ｎｍの波長域に１つまたは２つのピーク波長を有する第２の発光層を含む第２の発光ユニットを１つ有し、
前記第１の発光ユニットが、それぞれ前記第１の電極および前記第２の電極の内側に隣接する位置に配置され、
基板が、前記第１の電極または前記第２の電極の外側に配置され、
前記複数の発光ユニットが発光することで得られる白色光が、少なくとも３８０ｎｍ〜７８０ｎｍの波長域に亘って連続した発光スペクトルを有し、
前記基板を通じて得られる前記白色光の輝度が、前記基板の外部に放出された配光特性において、前記基板の面方向に対して垂直な軸から０度〜３０度の角度の範囲でほぼ一定の値を有し、
前記白色光の相関色温度が、６５００Ｋ以上であることを特徴とする有機エレクトロルミネッセント素子。
【請求項２】
前記基板を通じて得られる前記白色光の輝度が、前記基板の外部に放出された配光特性において、前記基板の面方向に対して垂直な軸から０度〜４５度の角度の範囲でほぼ一定の値を有することを特徴とする請求項１に記載の有機エレクトロルミネッセント素子。
【請求項３】
４４０ｎｍ〜４９０ｎｍの波長域のうち最も短波長にあるピーク波長の分光放射輝度が、前記基板の外部に放出された配光特性において、前記基板の面方向に対して垂直な軸から０度〜４５度の角度の範囲でほぼ一定の値を有することを特徴とする請求項１に記載の有機エレクトロルミネッセント素子。
【請求項４】
４４０ｎｍ〜４９０ｎｍの波長域のうち最も短波長にあるピーク波長の分光放射輝度が、前記基板の外部に放出された配光特性において、前記基板の面方向に対して垂直な軸から０度〜４５度の角度の範囲でほぼ一定の値を有することを特徴とする請求項２に記載の有機エレクトロルミネッセント素子。
【請求項５】
４４０ｎｍ〜４９０ｎｍの波長域におけるピーク波長の分光放射輝度が、前記基板の外部に放出された配光特性において、前記基板の面方向に対して垂直な軸から０度〜３０の角度の範囲でほぼ一定の値を有することを特徴とする請求項１〜４のいずれか１項に記載の有機エレクトロルミネッセント素子。
【請求項６】
前記白色光の平均演色評価数（Ｒａ）が、６０以上であることを特徴とする請求項１〜５のいずれか１項に記載の有機エレクトロルミネッセント素子。
【請求項７】
前記白色光の特殊演色評価数（Ｒｉ）において、Ｒ６が６０以上であることを特徴とする請求項１〜６のいずれか１項に記載の有機エレクトロルミネッセント素子。
【請求項８】
前記第１の発光層が、青色蛍光物質を含む青色蛍光発光層からなることを特徴とする請求項１〜７のいずれか１項に記載の有機エレクトロルミネッセント素子。
【請求項９】
前記第１の発光層を含む前記第１の発光ユニットから得られる青色光が、遅延蛍光成分を含むことを特徴とする請求項８に記載の有機エレクトロルミネッセント素子。
【請求項１０】
前記第１の発光層が、青色燐光物質を含む青色燐光発光層からなることを特徴とする請求項１〜７のいずれか１項に記載の有機エレクトロルミネッセント素子。
【請求項１１】
前記第１の発光ユニットと前記第２の発光ユニットとが前記電荷発生層を挟んで積層され、
前記第２の電極、前記第１の発光ユニット、前記電荷発生層、前記第２の発光ユニット、前記電荷発生層、前記第１の発光ユニットおよび前記第１の電極がこの順に積層された構造を有することを特徴とする請求項１〜１０のいずれか１項に記載の有機エレクトロルミネッセント素子。
【請求項１２】
前記電荷発生層は、電子受容性物質と電子供与性物質とから構成される電気的絶縁層からなり、該電気的絶縁層の比抵抗が１．０×１０２Ω・ｃｍ以上であることを特徴とする請求項１〜１１のいずれか１項に記載の有機エレクトロルミネッセント素子。
【請求項１３】
前記電気的絶縁層の比抵抗が１．０×１０５Ω・ｃｍ以上であることを特徴とする請求項１２に記載の有機エレクトロルミネッセント素子。
【請求項１４】
前記電荷発生層は、異なる物質の混合層からなり、その一成分が酸化還元反応による電荷移動錯体を形成していることを特徴とする請求項１〜１１のいずれか１項に記載の有機エレクトロルミネッセント素子。
【請求項１５】
前記電荷発生層は、電子受容性物質と電子供与性物質との積層体からなることを特徴とする請求項１〜１１のいずれか１項に記載の有機エレクトロルミネッセント素子。
【請求項１６】
前記電荷発生層は、下記式（１）で表わされる構造を有する化合物を含むことを特徴とする請求項１〜１５のいずれか１項に記載の有機エレクトロルミネッセント素子。
【化１】
2019145474.tif 000001
【請求項１７】
少なくとも３つの異なるカラーフィルターの配列を備え、
前記少なくとも３つの異なるカラーフィルターの配列が、前記複数の発光ユニットが発光することで得られる白色光を異なる色の光に変換することを特徴とする請求項１〜１６のいずれか１項に記載の有機エレクトロルミネッセント素子。
【請求項１８】
前記少なくとも３つの異なるカラーフィルターの配列が、ストライプ配列、モザイク配列、デルタ配列およびペンタイル配列からなる群から選択されるいずれか１つであることを特徴とする請求項１７に記載の有機エレクトロルミネッセント素子。
【請求項１９】
前記少なくとも３つの異なるカラーフィルターが赤色カラーフィルター、緑色カラーフィルターおよび青色カラーフィルターであり、これら３つの異なるカラーフィルターが交互に配置されたＲＧＢの配列を有することを特徴とする請求項１７または１８に記載の有機エレクトロルミネッセント素子。
【請求項２０】
前記ＲＧＢの配列を含む、ＲＧＢＷの配列を有し、Ｗの配列部にはカラーフィルターが配置されていないことを特徴とする請求項１９に記載の有機エレクトロルミネッセント素子。
【請求項２１】
前記ＲＧＢＷの配列が、ストライプ配列、モザイク配列、デルタ配列およびペンタイル配列からなる群から選択されるいずれか１つの配列であることを特徴とする請求項２０に記載の有機エレクトロルミネッセント素子。
【請求項２２】
請求項１７〜２１のいずれか１項に記載の有機エレクトロルミネッセント素子を備えることを特徴とするディスプレイ装置。
【請求項２３】
ベース基板および封止基板がフレキシブル基板からなり、フレキシブル性を有することを特徴とする請求項２２に記載のディスプレイ装置。
【請求項２４】
請求項１〜１６のいずれか１項に記載の有機エレクトロルミネッセント素子を備えることを特徴とする照明装置。
【請求項２５】
前記有機エレクトロルミネッセント素子の光取り出し面側に光学フィルムを備えることを特徴とする請求項２４に記載の照明装置。
【請求項２６】
前記白色光の平均演色評価数（Ｒａ）が７０以上であることを特徴とする請求項２４または２５に記載の照明装置。
【請求項２７】
ベース基板および封止基板がフレキシブル基板からなり、フレキシブル性を有することを特徴とする請求項２６に記載の照明装置。
【手続補正２】
【補正対象書類名】明細書
【補正対象項目名】０００９
【補正方法】変更
【補正の内容】
【０００９】
上記目的を達成するために、本発明は以下の手段を提供する。
＜１＞
第１の電極と第２の電極との間に、少なくとも有機化合物からなる発光層を含む複数の発光ユニットが電荷発生層を挟んで積層された構造する有機エレクトロルミネッセント素子であって、
４４０ｎｍ〜４９０ｎｍの波長域に１つまたは２つのピーク波長を有する第１の発光層を含む第１の発光ユニットを２つ有し、
５００ｎｍ〜６４０ｎｍの波長域に１つまたは２つのピーク波長を有する第２の発光層を含む第２の発光ユニットを１つ有し、
前記第１の発光ユニットが、それぞれ前記第１の電極および前記第２の電極の内側に隣接する位置に配置され、
基板が、前記第１の電極または前記第２の電極の外側に配置され、
前記複数の発光ユニットが発光することで得られる白色光が、少なくとも３８０ｎｍ〜７８０ｎｍの波長域に亘って連続した発光スペクトルを有し、
前記基板を通じて得られる前記白色光の輝度が、前記基板の外部に放出された配光特性において、前記基板の面方向に対して垂直な軸から０度〜３０度の角度の範囲でほぼ一定の値を有し、
前記白色光の相関色温度が、６５００Ｋ以上であることを特徴とする有機エレクトロルミネッセント素子。
＜２＞
前記基板を通じて得られる前記白色光の輝度が、前記基板の外部に放出された配光特性において、前記基板の面方向に対して垂直な軸から０度〜４５度の角度の範囲でほぼ一定の値を有することを特徴とする＜１＞に記載の有機エレクトロルミネッセント素子。
＜３＞
４４０ｎｍ〜４９０ｎｍの波長域のうち最も短波長にあるピーク波長の分光放射輝度が、前記基板の外部に放出された配光特性において、前記基板の面方向に対して垂直な軸から０度〜４５度の角度の範囲でほぼ一定の値を有することを特徴とする＜１＞に記載の有機エレクトロルミネッセント素子。
＜４＞
４４０ｎｍ〜４９０ｎｍの波長域のうち最も短波長にあるピーク波長の分光放射輝度が、前記基板の外部に放出された配光特性において、前記基板の面方向に対して垂直な軸から０度〜４５度の角度の範囲でほぼ一定の値を有することを特徴とする＜２＞に記載の有機エレクトロルミネッセント素子。
＜５＞
４４０ｎｍ〜４９０ｎｍの波長域におけるピーク波長の分光放射輝度が、前記基板の外部に放出された配光特性において、前記基板の面方向に対して垂直な軸から０度〜３０の角度の範囲でほぼ一定の値を有することを特徴とする＜１＞〜＜４＞のいずれか１項に記載の有機エレクトロルミネッセント素子。
＜６＞
前記白色光の平均演色評価数（Ｒａ）が、６０以上であることを特徴とする＜１＞〜＜５＞のいずれか１項に記載の有機エレクトロルミネッセント素子。
＜７＞
前記白色光の特殊演色評価数（Ｒｉ）において、Ｒ６が６０以上であることを特徴とする＜１＞〜＜６＞のいずれか１項に記載の有機エレクトロルミネッセント素子。
＜８＞
前記第１の発光層が、青色蛍光物質を含む青色蛍光発光層からなることを特徴とする＜１＞〜＜７＞のいずれか１項に記載の有機エレクトロルミネッセント素子。
＜９＞
前記第１の発光層を含む前記第１の発光ユニットから得られる青色光が、遅延蛍光成分を含むことを特徴とする＜８＞に記載の有機エレクトロルミネッセント素子。
＜１０＞
前記第１の発光層が、青色燐光物質を含む青色燐光発光層からなることを特徴とする＜１＞〜＜７＞のいずれか１項に記載の有機エレクトロルミネッセント素子。
＜１１＞
前記第１の発光ユニットと前記第２の発光ユニットとが前記電荷発生層を挟んで積層され、
前記第２の電極、前記第１の発光ユニット、前記電荷発生層、前記第２の発光ユニット、前記電荷発生層、前記第１の発光ユニットおよび前記第１の電極がこの順に積層された構造を有することを特徴とする＜１＞〜＜１０＞のいずれか１項に記載の有機エレクトロルミネッセント素子。
＜１２＞
前記電荷発生層は、電子受容性物質と電子供与性物質とから構成される電気的絶縁層からなり、該電気的絶縁層の比抵抗が１．０×１０２Ω・ｃｍ以上であることを特徴とする＜１＞〜＜１１＞のいずれか１項に記載の有機エレクトロルミネッセント素子。
＜１３＞
前記電気的絶縁層の比抵抗が１．０×１０５Ω・ｃｍ以上であることを特徴とする＜１２＞に記載の有機エレクトロルミネッセント素子。
＜１４＞
前記電荷発生層は、異なる物質の混合層からなり、その一成分が酸化還元反応による電荷移動錯体を形成していることを特徴とする＜１＞〜＜１１＞のいずれか１項に記載の有機エレクトロルミネッセント素子。
＜１５＞
前記電荷発生層は、電子受容性物質と電子供与性物質との積層体からなることを特徴とする＜１＞〜＜１１＞のいずれか１項に記載の有機エレクトロルミネッセント素子。
＜１６＞
前記電荷発生層は、下記式（１）で表わされる構造を有する化合物を含むことを特徴とする＜１＞〜＜１５＞のいずれか１項に記載の有機エレクトロルミネッセント素子。
【化３】
2019145474.tif 000002
＜１７＞
少なくとも３つの異なるカラーフィルターの配列を備え、
前記少なくとも３つの異なるカラーフィルターの配列が、前記複数の発光ユニットが発光することで得られる白色光を異なる色の光に変換することを特徴とする＜１＞〜＜１６＞のいずれか１項に記載の有機エレクトロルミネッセント素子。
＜１８＞
前記少なくとも３つの異なるカラーフィルターの配列が、ストライプ配列、モザイク配列、デルタ配列およびペンタイル配列からなる群から選択されるいずれか１つであることを特徴とする＜１７＞に記載の有機エレクトロルミネッセント素子。
＜１９＞
前記少なくとも３つの異なるカラーフィルターが赤色カラーフィルター、緑色カラーフィルターおよび青色カラーフィルターであり、これら３つの異なるカラーフィルターが交互に配置されたＲＧＢの配列を有することを特徴とする＜１７＞または＜１８＞に記載の有機エレクトロルミネッセント素子。
＜２０＞
前記ＲＧＢの配列を含む、ＲＧＢＷの配列を有し、Ｗの配列部にはカラーフィルターが配置されていないことを特徴とする＜１９＞に記載の有機エレクトロルミネッセント素子。
＜２１＞
前記ＲＧＢＷの配列が、ストライプ配列、モザイク配列、デルタ配列およびペンタイル配列からなる群から選択されるいずれか１つの配列であることを特徴とする＜２０＞に記載の有機エレクトロルミネッセント素子。
＜２２＞
＜１７＞〜＜２１＞のいずれか１項に記載の有機エレクトロルミネッセント素子を備えることを特徴とするディスプレイ装置。
＜２３＞
ベース基板および封止基板がフレキシブル基板からなり、フレキシブル性を有することを特徴とする＜２２＞に記載のディスプレイ装置。
＜２４＞
＜１＞〜＜１６＞のいずれか１項に記載の有機エレクトロルミネッセント素子を備えることを特徴とする照明装置。
＜２５＞
前記有機エレクトロルミネッセント素子の光取り出し面側に光学フィルムを備えることを特徴とする＜２４＞に記載の照明装置。
＜２６＞
前記白色光の平均演色評価数（Ｒａ）が７０以上であることを特徴とする＜２４＞または＜２５＞に記載の照明装置。
＜２７＞
ベース基板および封止基板がフレキシブル基板からなり、フレキシブル性を有することを特徴とする＜２６＞に記載の照明装置。
本発明は上記＜１＞〜＜２７＞に関するものであるが、本明細書には参考のためその他の事項（下記（１）〜（２５）に記載した事項など）についても記載した。
（１）第１の電極と第２の電極との間に、少なくとも有機化合物からなる発光層を含む複数の発光ユニットが電荷発生層を挟んで積層された構造する有機エレクトロルミネッセント素子であって、
４４０ｎｍ〜４９０ｎｍの波長域に１つまたは２つのピーク波長を有する第１の発光層を含む第１の発光ユニットを２つ有し、
５００ｎｍ〜６４０ｎｍの波長域に１つまたは２つのピーク波長を有する第２の発光層を含む第２の発光ユニットを１つ有し、
前記第１の発光ユニットが、それぞれ前記第１の電極および前記第２の電極の内側に隣接する位置に配置され、
基板が、前記第１の電極または前記第２の電極の外側に配置され、
前記複数の発光ユニットが発光することで得られる白色光が、少なくとも３８０ｎｍ〜７８０ｎｍの波長域に亘って連続した発光スペクトルを有し、
前記基板を通じて得られる前記白色光の輝度が、前記基板の外部に放出された配光特性において、前記基板の面方向に対して垂直な軸から０度〜３０度の角度の範囲でほぼ一定の値を有することを特徴とする有機エレクトロルミネッセント素子。
（２）４４０ｎｍ〜４９０ｎｍの波長域におけるピーク波長の分光放射輝度が、前記基板の外部に放出された配光特性において、前記基板の面方向に対して垂直な軸から０度〜３０の角度の範囲でほぼ一定の値を有することを特徴とする前記（１）に記載の有機エレクトロルミネッセント素子。
（３）前記白色光の相関色温度が、６５００Ｋ以上であることを特徴とする前記（１）または（２）に記載の有機エレクトロルミネッセント素子。
（４）前記白色光の平均演色評価数（Ｒａ）が、６０以上であることを特徴とする前記（１）〜（３）のいずれか１項に記載の有機エレクトロルミネッセント素子。
（５）前記白色光の特殊演色評価数（Ｒｉ）において、Ｒ６が６０以上であることを特徴とする前記（１）〜（４）のいずれか１項に記載の有機エレクトロルミネッセント素子。
（６）前記第１の発光層が、青色蛍光物質を含む青色蛍光発光層からなることを特徴とする前記（１）〜（５）のいずれか１項に記載の有機エレクトロルミネッセント素子。
（７）前記第１の発光層を含む前記第１の発光ユニットから得られる青色光が、遅延蛍光成分を含むことを特徴とする前記（６）に記載の有機エレクトロルミネッセント素子。
（８）前記第１の発光層が、青色燐光物質を含む青色燐光発光層からなることを特徴とする前記（１）〜（５）のいずれか１項に記載の有機エレクトロルミネッセント素子。
（９）前記第１の発光ユニットと前記第２の発光ユニットとが前記電荷発生層を挟んで積層され、
前記第２の電極、前記第１の発光ユニット、前記電荷発生層、前記第２の発光ユニット、前記電荷発生層、前記第１の発光ユニットおよび前記第１の電極がこの順に積層された構造を有することを特徴とする前記（１）〜（８）のいずれか１項に記載の有機エレクトロルミネッセント素子。
（１０）前記電荷発生層は、電子受容性物質と電子供与性物質とから構成される電気的絶縁層からなり、該電気的絶縁層の比抵抗が１．０×１０２Ω・ｃｍ以上であることを特徴とする前記（１）〜（９）のいずれか１項に記載の有機エレクトロルミネッセント素子。
（１１）前記電気的絶縁層の比抵抗が１．０×１０５Ω・ｃｍ以上であることを特徴とする前記（１０）に記載の有機エレクトロルミネッセント素子。
（１２）前記電荷発生層は、異なる物質の混合層からなり、その一成分が酸化還元反応による電荷移動錯体を形成していることを特徴とする前記（１）〜（９）のいずれか１項に記載の有機エレクトロルミネッセント素子。
（１３）前記電荷発生層は、電子受容性物質と電子供与性物質との積層体からなることを特徴とする前記（１）〜（９）のいずれか１項に記載の有機エレクトロルミネッセント素子。
（１４）前記電荷発生層は、下記式（１）で表わされる構造を有する化合物を含むことを特徴とする前記（１）〜（１３）のいずれか１項に記載の有機エレクトロルミネッセント素子。
【化１】
2019145474.tif 000003
（１５）少なくとも３つの異なるカラーフィルターの配列を備え、
前記少なくとも３つの異なるカラーフィルターの配列が、前記複数の発光ユニットが発光することで得られる白色光を異なる色の光に変換することを特徴とする前記（１）〜（１４）のいずれか１項に記載の有機エレクトロルミネッセント素子。
（１６）前記少なくとも３つの異なるカラーフィルターの配列が、ストライプ配列、モザイク配列、デルタ配列およびペンタイル配列からなる群から選択されるいずれか１つであることを特徴とする前記（１５）に記載の有機エレクトロルミネッセント素子。
（１７）前記少なくとも３つの異なるカラーフィルターが赤色カラーフィルター、緑色カラーフィルターおよび青色カラーフィルターであり、これら３つの異なるカラーフィルターが交互に配置されたＲＧＢの配列を有することを特徴とする前記（１５）または（１６）に記載の有機エレクトロルミネッセント素子。
（１８）前記ＲＧＢの配列を含む、ＲＧＢＷの配列を有し、Ｗの配列部にはカラーフィルターが配置されていないことを特徴とする前記（１７）に記載の有機エレクトロルミネッセント素子。
（１９）前記ＲＧＢＷの配列が、ストライプ配列、モザイク配列、デルタ配列およびペンタイル配列からなる群から選択されるいずれか１つの配列であることを特徴とする前記（１８）に記載の有機エレクトロルミネッセント素子。
（２０）前記（１５）〜（１９）のいずれか１項に記載の有機エレクトロルミネッセント素子を備えることを特徴とするディスプレイ装置。
（２１）ベース基板および封止基板がフレキシブル基板からなり、フレキシブル性を有することを特徴とする前記（２０）に記載のディスプレイ装置。
（２２）前記（１）〜（１４）のいずれか１項に記載の有機エレクトロルミネッセント素子を備えることを特徴とする照明装置。
（２３）前記有機エレクトロルミネッセント素子の光取り出し面側に光学フィルムを備えることを特徴とする前記（２２）に記載の照明装置。
（２４）前記白色光の平均演色評価数（Ｒａ）が７０以上であることを特徴とする前記（２２）または（２３）に記載の照明装置。
（２５）ベース基板および封止基板がフレキシブル基板からなり、フレキシブル性を有することを特徴とする前記（２４）に記載の照明装置。